(57)【要約】【課題】ドリルビット刃部と研削盤の成す接触角度を快速に調整することができるドリルビット研磨機を提供する。【解決手段】台座２０は、円弧形サイドプレート２２が設けられたハウジング２１と、所定の長さを有するスライディングホール２３とを有する。スリーブ４０は、スライディングホール２３のなかに滑り自在に設けられ、スライディングホール２３の長手方向に摺動可能である。チャック６０は、スリーブ４０のなかに嵌めて設けられている。スライディングホール２３の表面の一側には、少なくとも一つの第一係り部３０を有している。スリーブ４０の周りの所定の位置には、第一係り部３０と対応する少なくとも一つの第二係り部５０を有している。これにより、スリーブ４０がスライディングホール２３に嵌め込んだ場合には、スリーブ４０が適当な挟み力を受けて定位される。【選択図】　　図１
0003098620.tif 000002
【実用新案登録請求の範囲】
【請求項１】
所定の曲率を持つ円弧形サイドプレートが一側に設けられたハウジングと、前記円弧形サイドプレートに開けられ所定の長さを有するスライディングホールとを有する台座と、
前記スライディングホールのなかに滑り移動自在に設けられ、前記スライディングホールの長手方向に摺動可能なスリーブと、
前記スリーブのなかに嵌めて設けたチャックとを備えるドリルビット研磨機において、
前記スライディングホールの表面の一側に設けられ、少なくとも一つの第一係り部と、
前記スリーブの周りの所定の位置に設けられ、前記第一係り部と対応し、少なくとも一つの第二係り部とを含み、
前記スリーブが前記スライディングホールに嵌め込まれた場合には、前記スリーブが適当な挟み力を受けて定位されることを特徴とするドリルビット研磨機。
【請求項２】
前記第一係り部は、所定の長さを有し波状を呈する片状バネであり、その長手方向は前記スライディングホールの長手方向と平行するように、前記スライディングホールの対応する表面に設置されたことを特徴とする請求項１に記載のドリルビット研磨機。
【請求項３】
前記片状バネの長手方向に波状が形成されたことを特徴とする請求項２に記載のドリルビット研磨機。
【請求項４】
前記第二係り部は、前記スリーブの周りに突設されたものであり、その形状は前記片状バネの波形状と対応することを特徴とする請求項２に記載のドリルビット研磨機。
【請求項５】
前記片状バネの長手方向の二つの端部は、前記スライディングホールの表面に係止されたことを特徴とする請求項２に記載のドリルビット研磨機。
【請求項６】
前記台座には少なくとも二つの係止部が設けられており、前記係止部は、前記片状バネの長手方向にある二つの端部と嵌めて結合するように、別々に前記スライディングホールの表面の同じ側に設けられたことを特徴とする請求項５に記載のドリルビット研磨機。
【請求項７】
前記スリーブは、管状の本体を有し、前記スライディングホールに嵌め込むことが可能であり、且つ環状を呈する突縁は、前記本体の一端に設けられ、前記円弧形サイドプレートに当接し、二つの円弧形止め金は、別々に前記突縁の前記円弧形サイドプレートと当接する裏側に設けられたことを特徴とする請求項１に記載のドリルビット研磨機。
【請求項８】
前記二つの円弧形止め金は、前記円弧形サイドプレートの端面に当接し、別々に前記円弧形サイドプレートの表面と同様な曲率を有することを特徴とする請求項７に記載のドリルビット研磨機。
【考案の詳細な説明】
【０００１】
【考案の属する技術分野】
本考案は研磨装置に係り、特にドリルビットの研磨機に関する。
【０００２】
【従来の技術】
米国特許第５７３５７３２号公報では、ドリルビットの刃部に対して研磨作業を実施するための研磨装置が開示され、この研磨装置は主に研削盤を利用してドリルビットの刃部に対して研磨を実施するものであり、且つドリルビットの刃部の形状に応じるために、その技術内容では、ドリルビットを定位し保持するためのソケットチャックを有し、なお、案内機構を利用しながらドリルビットを旋回させることにより、ドリルビットの刃部を研削盤に対して上げたり下げたりすることができ、そうすると、ドリルビットの刃部は研削盤の表面と適当に接触して刃部を研磨することができる。
【０００３】
また、上記米国特許公報で開示した技術内容と似ている従来の技術では、スリーブチャックによりドリルビットを保持し、且つ角度調整機構により前記スリーブチャックをハウジングの所定範囲内にスライディングし移動することができ、これにより、ドリルビット刃部と研削盤の接触角度が変更でき、ドリルビット刃部の各部位での異なった研磨角度にも満足できる。
【０００４】
【考案が解決しようとする課題】
しかしながら、従来の技術は次のような欠点があった。
ドリルビットを保持したスリーブチャックと研削盤の成す接触角度を調整する機構は改善する余地が残っており、特に外部のネジを利用して移動したスリーブチャックを緊迫し定位する機構は使用者にとって極めて不便である。そして従来の技術は、スリーブチャックの移動機構を提供するだけで、特定角度の設定は、使用者の手でスリーブチャックを目安に合わしてロックしないと、ドリルビット刃部の研磨角度を精確に調整することができない。
【０００５】
本考案は、ドリルビット刃部と研削盤の成す接触角度を快速に調整することができるドリルビット研磨機を提供する。
【０００６】
【課題を解決するための手段】
上記欠点を解決するために成された本願の請求項１では、所定の曲率を持つ円弧形サイドプレートが一側に設けられたハウジングと、前記円弧形サイドプレートに開けられ所定長さを有するスライディングホールとを有する台座と、前記スライディングホールのなかに滑り自在に設けられ、前記スライディングホールの長手方向に摺動できるスリーブと、前記スリーブのなかに嵌めて設けたチャックとを含むドリルビット研磨機において、更には、前記スライディングホールの表面の一側に設けられ、少なくとも一つを有する第一係り部と、前記スリーブの周りの所定位置に設けられ、前記第一係り部と対応し、少なくとも一つを有する第二係り部とを含む。これにより、前記スリーブが前記スライディングホールに嵌め込んだ場合には、前記スリーブが適当な挟み力を受けて定位されることを特徴とする。
【０００７】
本願の請求項２では、前記第一係り部は、所定の長さを有し波状を呈する片状バネであり、その長手方向は前記スライディングホールの長手方向と平行するように、前記スライディングホールの応じる表面に設置されていることを特徴とする。
本願の請求項３では、前記片状バネの長手方向に波状が形成されていることを特徴とする。
【０００８】
本願の請求項４では、前記第二係り部は、前記スリーブの周りに突設されたものであり、その形状は前記片状バネの波形状とちょうど対応することを特徴とする。
本願の請求項５では、前記片状バネの長手方向の二端部は、前記スライディングホールの表面に係止されたことを特徴とする。
本願の請求項６では、前記台座には少なくとも二係止部が設けており、前記係止部は、前記片状バネの長手方向にある二端部と嵌めて結合するように、別々に前記スライディングホールの表面の同じ側で設けられたことを特徴とする。
【０００９】
本願の請求項７では、前記スリーブは、管状の本体を有し、前記スライディングホールに嵌め込むことができ、且つ環状を呈する突縁は、前記本体の一端に設けられ、前記円弧形サイドプレートに当接し、なお、二円弧形止め金は、別々に前記突縁の前記円弧形サイドプレートと当接する裏側に設けられたことを特徴とする。
本願の請求項８では、前記二円弧形止め金は、前記円弧形サイドプレートの端面に当接し、別々に前記円弧形サイドプレートの表面と同様な曲率を有することを特徴とする。
【００１０】
【考案の実施の形態】
まず、図１から図６を参照する。本考案の実施例のドリルビット研磨機１０は、台座２０と、二つの第一係り部３０と、スリーブ４０と、二つの第二係り部５０と、チャック６０と、から構成されたものである。
前記台座２０は、適当な形状を持ち研磨機の動力部材及び研削盤を収容するためのハウジング２１を有し、円弧形サイドプレート２２が前記ハウジング２１の一側に設けられ、前記円弧形サイドプレート２２と前記ハウジング２１内に収容された研削盤の間に所定距離を保持するように、前記円弧形サイドプレート２２の曲率は前記研削盤の曲率に対応している。また、スライディングホール２３は、前記円弧形サイドプレート２２に開けており、且つ前記円弧形サイドプレート２２の円弧面に沿って適当な長さを有し、また、二対の係止部２４は、別々に前記スライディングホール２３の長手方向にある二側壁で適当な距離に間隔をおいて設置される。これにより、各係止部２４が別々に係止溝２５を形成し、そして貫通孔は前記ハウジング２１の他面に開けており、ストッパー２７は、前記ハウジング２１の内部に設けられ、前記貫通孔の軸方向に位置する。また、二つの定位ピン２８は、適当な距離に間隔され、別々に前記ストッパー２７と垂直するように前記ストッパー２７に設けられ、且つ前記貫通孔２６と対向する。
【００１１】
前記各第一係り部３０は、別々に適当な長さ及び厚さを持つ片状バネであり、波形状が長手方向に形成され、且つ長手方向の二端部が別々に係止部２４で形成された係止溝２５内に嵌めている。これにより、前記各第一係り部３０は、前記スライディングホール２３の長手方向での壁に固定することができ、且つ波形状の表面が互いに対向する。
【００１２】
前記スリーブ４０は、管状本体４１を有し、前記スライディングホール２３を挿通し且つ前記スライディングホール２３の長手方向にスライディングし移動することができ、その底端が前記ハウジング２１の内部に挿し込み、環状凸縁４２が前記本体４１の頂端でそれと同軸に設けられ、且つ前記環状凸縁４２の底面は前記円弧形サイドプレート２２に当接している。また、二円弧形止め金４３は、別々に前記環状凸縁４２の底面に突設され、且つその底側での円弧面４３１が前記円弧形サイドプレート２２での前記スライディングホール２３の長手方向の両側に当接し、且つ円弧形止め金４３の円弧面４３１の曲率を前記円弧形サイドプレート２２の曲率と同様にし、これにより、前記スリーブ４０が前記スライディングホール２３の長手方向に沿ってスライディングし移動するときには、適当な支持効果を得ることができる。なお、二第一案内ブロック４４は、別々に前記環状凸縁４２の頂端の環状表面に突設された。
【００１３】
前記各第二係り部５０は、別々に前記本体４１の周面に突設され互いに１８０度を成し、その突起した輪郭が前記第一係り部３０の輪郭とぴったりと合い、これにより、前記スリーブ４０は前記スライディングホール２３に適当に定位されることができる。
【００１４】
前記チャック６０は、ロッド状のものを挟むための従来技術を使用したものであり、挟もうとするロッド状のものの直径に応じて中央穴徑を変更できる柱状ヘッド６１を有し、前記柱状ヘッド６１によりドリルビットを挟みながら前記本体４１の貫通孔に挿通することができ、且つ前記チャック６０のディスクエッジ６１１は前記環状凸縁４２の頂端の環状表面と対向し、また、回転ディスク６２が前記ヘッド６１と同軸し前記ヘッド６１の一端に設けられ、前記回転ディスク６２によりチャック６０は本体４１を挿通しながらその場で軸転することができる。また、第二案内ブロック６３は、前記環状凸縁４２の頂端の環状表面と対向したディスクエッジ６１１に設けられ、その先端が前記環状凸縁４２の頂端の環状表面に接触する。これにより、前記チャック６０が前記スリーブ４０内で軸転する際に、前記第二案内ブロック６３は前記第一案内ブロック４４に案内されて前記チャック６０が軸方向に移動され、そうすると、ドリルビット刃部に対する研磨作業が便利になる。
【００１５】
上記構成のドリルビット研磨機１０によれば、スリーブ４０は前記スライディングホール２３の所定範囲内にスライディングし移動することにより、前記チャック６０に挟めれたドリルビット刃部と研削盤の接触角度を調整することができ、異なった仕様のドリルビットにも研磨作業が順調に実施することができ、且つ第二案内ブロック６３が第一案内ブロック４４と当接し弾性的に定位されたため、前記スリーブ４０を前記スライディングホール２３のなかに差し込んで定位すると、前記スリーブ４０が直ちに弾性的に係止され、且つ第一係り部３０は第二係り部５０と係合するため、前記スリーブ４０が特定な位置に定位される。そうすると、前記スリーブ４０を快速に移動してドリルビット刃部の研磨角度に合わせることができ、ドリルビットを快速に研磨することができる。従来のものでは、本実施例のような定位技術を提供しなかった他に、スリーブを簡単に固定する機構もない。
【００１６】
また、チャック６０がドリルビットを挟み特定な対応状態を保持するための本実施例の技術内容は、下記に述べる。
（イ）前記ストッパー２７と前記貫通孔２６の間の固定した距離により、前記チャック６０のヘッド６１を前記貫通孔２６に挿通し当接すると、挟まれたドリルビットの端末が前記ストッパー２７と当接し、これにより、前記ヘッド６１の外に延びたドリルビットの長さを制御することができる（図５に示すように）。
【００１７】
（ロ）前記ストッパー２７で突設された二つの定位ピン２８は、ドリルビット刃部の対称した二溝に挿入することにより、ドリルビットと前記ヘッド６１の対応した角度を定位することができる（図６に示すように）。
これにより、前記チャック６０は特定な空間形態でドリルビットを挟んで研磨作業を実施することができる。
【００１８】
【考案の効果】
本考案によれば、ドリルビット刃部と研削盤の成す接触角度を快速に調整することができ、接触角度の調整作業ももっと便利になった。
【図面の簡単な説明】
【図１】本考案の実施例によるドリルビット研磨機を示す分解斜視図である。
【図２】本考案の実施例によるドリルビット研磨機を組立てた状態を示す斜視図である。
【図３】図２に示す３−３方向の断面図である。
【図４】図２に示す４−４方向の断面図である。
【図５】本考案の実施例におけるドリルビット研磨機のチャックがドリルビットを挟んでドリルビットの長さを定位する状態を示す概略図である。
【図６】本考案の実施例におけるドリルビット研磨機のストッパーを示す平面図である。
【符号の説明】
１０　　ドリルビット研磨機
２０　　台座
３０　　第一係り部
４０　　スリーブ
５０　　第二係り部
６０　　チャック
２１　　ハウジング
２２　　円弧形サイドプレート
２３　　スライディングホール
２４　　係止部
２５　　係止溝
２６　　貫通孔
２７　　ストッパー
２８　　定位ピン
４１　　管状本体
４２　　環状凸縁
４３　　円弧形止め金
４３１　　円弧面
４４　　第一案内ブロック
６１　　柱状ヘッド
６１１　　ディスクエッジ
６２　　回転ディスク
６３　　第二案内ブロック
【図１】
0003098620.tif 000003
【図２】
0003098620.tif 000004
【図３】
0003098620.tif 000005
【図４】
0003098620.tif 000006
【図５】
0003098620.tif 000007
【図６】
0003098620.tif 000008